(57)【要約】【課題】茶葉から抽出される茶成分を確実に湯水に含有させることができ、且つ使用済みの茶葉を急須から確実に排出することができる急須用茶漉しを提供する。【解決手段】本発明の急須用茶漉しにおいては、上部開口部の縁円周に係止させる茶漉し係止部と、茶漉し係止部の下方に半球状又は有底円筒状に形成されると共に茶葉と注がれた湯水を保持する茶葉収容部と、急須の注ぎ口の開口面積と略同一の面積を有するように金属製又は樹脂製の網で形成されると共に茶葉収容部に保持された湯水を排出する湯水排出部とを備えている。【選択図】図１
2013048653.tif 000002
【特許請求の範囲】
【請求項１】
上部開口から注がれた湯水を保持すると共に保持された湯水を注ぎ口から注ぎ出す急須本体の前記上部開口部に備えつける金属製又は樹脂製の急須用茶漉しにおいて、
前記上部開口部の縁円周に係止させる茶漉し係止部と、
前記茶漉し係止部の下方に半球状又は有底円筒状に形成されると共に茶葉と注がれた湯水を保持する茶葉収容部と、
前記注ぎ口の開口面積と略同一の面積を有するように金属製又は樹脂製の網で形成されると共に前記茶葉収容部に保持された湯水を排出する湯水排出部と
を備えていることを特徴とする急須用茶漉し。
【請求項２】
前記湯水排出部は、前記茶葉収容部において重力方向下方に配置されることを特徴とする請求項１記載の急須用茶漉し。
【請求項３】
前記湯水排出部は、前記茶葉収容部において前記注ぎ口に最も近接する位置に配置されることを特徴とする請求項１記載の急須用茶漉し。
【請求項４】
前記茶漉し係止部の一部に該急須用茶漉しの回転を防止する回転防止部を備えたことを特徴とする請求項３に記載の急須用茶漉し。
【発明の詳細な説明】
【技術分野】
【０００１】
本発明は、急須内に装着して使用される脱着可能な茶漉しに関する。
【背景技術】
【０００２】
従来、急須内に装着して使用する茶漉しとしては、図８及び図９に示すように、急須の蓋受け部に係止させるフランジを有する金網を半球殻状に湾曲させて作られたものが一般的である。この茶漉しは洗浄がしやすい。しかしながら、この茶漉しは、全体が金網になっているため、茶葉から抽出される茶成分を含まない状態で湯水が茶漉しから外へ流れ出てしまうという問題がある。
【０００３】
そこで、急須内の注ぎ口開口部を覆うステンレス製網が合成樹脂の板状保持材に一体に成形されている茶漉しが提案されている（特許文献１参照）。この茶漉しの急須への装着は、一端を急須内面の注ぎ口開口部の上方の蓋受け下面の縁に係止させ、急須の内面および底面に密着させて他端を対向する蓋受け下面の縁へ係止させるようにしたものである。
【先行技術文献】
【特許文献】
【０００４】
【特許文献１】実用新案登録第３１６０５６３号公報
【発明の概要】
【発明が解決しようとする課題】
【０００５】
特許文献１に記載の茶漉しは、ステンレス製網が急須内の注ぎ口開口部を覆うように成形されているため、急須内に注がれた湯水が注ぎ口開口部を通過するときに、茶葉が注ぎ口開口部付近に集まるため、茶葉から抽出される茶成分を確実に湯水に含有させることができる。
【０００６】
しかしながら、この茶漉しは、使用済みの茶葉を急須から取り除く場合に、茶葉が急須の蓋受け部に引っ掛かるため、容易に全ての茶葉を取り除くことができないという難点があった。更に、この茶漉しは、急須から容易に外して洗浄することはできないという難点もある。
【０００７】
そこで、本発明はこれらの点に鑑みてなされたものであり、茶葉から抽出される茶成分を確実に湯水に含有させることができ、且つ使用済みの茶葉を急須から確実に排出することができる急須用茶漉しを提供することを本発明の目的としている。
【課題を解決するための手段】
【０００８】
前述した目的を達成するため、本発明の急須用茶漉しは、その第１の態様として、上部開口から注がれた湯水を保持すると共に保持された湯水を注ぎ口から注ぎ出す急須本体の上部開口部に備えつける金属製又は樹脂製の急須用茶漉しにおいて、上部開口部の縁円周に係止させる茶漉し係止部と、茶漉し係止部の下方に半球状又は有底円筒状に形成されると共に茶葉と注がれた湯水を保持する茶葉収容部と、注ぎ口の開口面積と略同一の面積を有するように金属製又は樹脂製の網で形成されると共に茶葉収容部に保持された湯水を排出する湯水排出部とを備えていることを特徴とする。
【０００９】
本発明の第１の態様の急須用茶漉しによれば、茶葉から抽出される茶成分を確実に湯水に含有させることができ、且つ使用済みの茶葉を急須から確実に排出することができる。
【００１０】
本発明の第２の態様の急須用茶漉しは、湯水排出部が茶葉収容部において重力方向下方に配置されることを特徴としている。
【００１１】
本発明の第２の態様の急須用茶漉しによれば、茶葉から抽出される茶成分を確実に少量の湯水に対しても含有させることができる。
【００１２】
また、本発明の第３の態様の急須用茶漉しは、湯水排出部が茶葉収容部において注ぎ口に最も近接する位置に配置されることを特徴としている。
【００１３】
本発明の第３の態様の急須用茶漉しによれば、茶葉から抽出される茶成分を確実に少量の湯水に対しても含有させることができる。
【００１４】
さらに、本発明の第４の態様の急須用茶漉しは、茶漉し係止部の一部に該急須用茶漉しの回転を防止する回転防止部を備えたことを特徴としている。
【００１５】
本発明の第４の態様の急須用茶漉しによれば、急須用茶漉しの回転を防止することができ、しいては、常に湯水排出部を注ぎ口に最も近接する位置に配置させることができる。
【発明の効果】
【００１６】
本発明の急須用茶漉しによれば、茶葉から抽出される茶成分を確実に湯水に含有させることができ、且つ使用済みの茶葉を急須から確実に排出することができる。その結果、茶成分が均一に含まれるため、美味しくお茶を楽しむことができるという効果を奏する。
【図面の簡単な説明】
【００１７】
【図１】一般的な急須に第１実施形態の急須用茶漉しを装着した状態を示す断面図。
【図２】一般的な急須に第１実施形態の急須用茶漉しを装着した状態を示す平面図。
【図３】一般的な急須に第２実施形態の急須用茶漉しを装着した状態を示す第１の断面図。
【図４】一般的な急須に第２実施形態の急須用茶漉しを装着した状態を示す第２の断面図。
【図５】一般的な急須に第２実施形態の急須用茶漉しを装着した状態を示す平面図。
【図６】一般的な急須に第３実施形態の急須用茶漉しを装着した状態を示す第１の断面図。
【図７】一般的な急須に第３実施形態の急須用茶漉しを装着した状態を示す第２の断面図。
【図８】一般的な急須に従来の急須用茶漉しを装着した状態を示す断面図。
【図９】一般的な急須に従来の急須用茶漉しを装着した状態を示す平面図。
【発明を実施するための形態】
【００１８】
以下、本発明の急須用茶漉しを、図面を参照しながらその一実施形態である第１から第３の実施形態により説明するが、本発明は、これに限定されて解釈されるものではなく、本発明の範囲を逸脱しない限りにおいて、当業者の知識に基づいて、種々の変更、修正、改良を加え得るものである。
【００１９】
はじめに、第１実施形態を説明する。
【００２０】
第１実施形態の急須用茶漉し１２０は、図１及び図２に示すように、急須本体１１０、注ぎ口１１２、蓋受け部１１４、急須取手部１１６を備えた急須１００に装着されている。具体的には、急須用茶漉し１２０の上部開口部の縁円周に係止させる茶漉し係止部１２２が蓋受け部１１４と重なり合うように装着されている。また、図１に示されるように、急須１００は、蓋取手部１３２付きの蓋１３０を備えている。蓋１３０を茶漉し係止部１２２の上に重なるようにして、急須内を密閉することによって、茶葉を蒸らすことができる。
【００２１】
急須用茶漉し１２０は、金属製又は樹脂製ある。好ましくは、ステンレス製又はポリプロピレンなどの耐熱性の樹脂製である。
【００２２】
急須用茶漉し１２０は、茶漉し係止部１２２の下方に半球状に形成されると共に茶葉と注がれた湯水を保持する茶葉収容部１２８を備える。
【００２３】
また、急須用茶漉し１２０は、その底部に網で形成された湯水排出部１２４を備える。つまり、急須用茶漉し１２０は、湯水排出部１２４からだけ湯水を排出するようになっている。
【００２４】
湯水排出部１２４は、金属製又は樹脂製あり、好ましくは、ステンレス製又はポリプロピレンなどの耐熱性の樹脂製である。なお、急須用茶漉し１２０と同一の素材又は異なる素材を用いてもよい。
【００２５】
湯水排出部１２４は、円形状に形成され、注水された湯水を排出する。ここで、湯水排出部１２４の面積は、急須１００の注ぎ口１１２の開口面積と略同一となるように形成されている。なお、図１及び図２においては、細部を見やすくするために、湯水排出部１２４を実際のものよりも拡大して示している。
【００２６】
湯水排出部１２４の面積が、急須１００の注ぎ口１１２の開口面積と略同一となるように形成されているため、注ぎ口１１２から注がれる量と湯水排出部１２４から排出される量とが略同一になり、茶成分が均一に含まれる茶を提供することが可能である。
【００２７】
次に、本発明の第２実施形態を以下に説明する。
【００２８】
第２実施形態の急須用茶漉し２２０は、図３乃至図５に示すように、急須本体２１０、注ぎ口２１２、蓋受け部２１４、急須取手部２１６を備えた急須２００に装着されている。具体的には、急須用茶漉し２２０の上部開口部の縁円周に係止させる茶漉し係止部２２２が蓋受け部２１４と重なり合うように装着されている。また、急須２００は、図示しない蓋取手部付きの蓋を備え、急須内を密閉することによって、茶葉を蒸らすことができる。
【００２９】
急須用茶漉し２２０は、金属製又は樹脂製ある。好ましくは、ステンレス製又はポリプロピレンなどの耐熱性の樹脂製である。
【００３０】
急須用茶漉し２２０は、茶漉し係止部２２２の下方に有底円筒状に形成されると共に茶葉と注がれた湯水を保持する茶葉収容部２２８を備える。
【００３１】
急須用茶漉し２２０は、茶漉し係止部２２２の一部に凹部を設けており、急須２００の開口部分に設けられた茶漉し回転防止部２１４ａと嵌合することによって、急須用茶漉し２２０の急須２００との関係における回転を防止する。
【００３２】
また、急須用茶漉し２２０は、その有底円筒状に形成された側部底面側に網で形成された湯水排出部２２４を備える。つまり、急須用茶漉し２２０は、湯水排出部２２４からだけ湯水を排出するようになっている。
【００３３】
湯水排出部２２４は、金属製又は樹脂製あり、好ましくは、ステンレス製又はポリプロピレンなどの耐熱性の樹脂製である。なお、急須用茶漉し２２０と同一の素材又は異なる素材を用いてもよい。
【００３４】
湯水排出部２２４は、長方形状に形成され、注水された湯水を排出する。ここで、湯水排出部２２４の面積は、急須２００の注ぎ口２１２の開口面積と略同一となるように形成されている。なお、図３及び図４においては、細部を見やすくするために、湯水排出部２２４を実際のものよりも拡大して示している。
【００３５】
また、図３及び図５に示されるように、茶漉し係止部２２２の一部に凹部が茶漉し回転防止部２１４ａと嵌合することによって、湯水排出部２２４と急須２００の注ぎ口２１２との距離が最短になるよう維持される。これにより、急須取手部２１６を保持した状態で注ぎ口２１２から茶を注ぐと、茶葉収容部２２８内のすべての湯水が湯水排出部２２４を通過することとなる。
【００３６】
湯水排出部２２４の面積が、急須２００の注ぎ口２１２の開口面積と略同一となるように形成されているため、注ぎ口２１２から注がれる量と湯水排出部２２４から排出される量とが略同一になり、茶成分が均一に含まれる茶を提供することが可能である。
【００３７】
また、湯水排出部２２４は、急須用茶漉し２２０から着脱可能な湯水排出保持体２２６の一端側に形成されている。つまり、図３及び図５に示されるように、湯湯水排出保持体２２６に設けられた湯水排出保持体嵌合部２２６ａが急須用茶漉し２２０に嵌合し、湯湯水排出保持体２２６は急須用茶漉し２２０から着脱することが可能となる。
【００３８】
湯水排出保持体２２６は、金属製又は樹脂製あり、好ましくは、ステンレス製又はポリプロピレンなどの耐熱性の樹脂製である。なお、急須用茶漉し２２０と同一の素材又は異なる素材を用いてもよい。
【００３９】
最後に、本発明の第３実施形態を以下に説明する。
【００４０】
なお、本実施形態は、前述の第２実施形態と比較し、湯水排出部２２４の面積及びそれに付随する部分のみが相違するものである。従って、その相違点を中心に説明し、第２実施形態と同一構成については、説明を省略する。
【００４１】
第３実施形態の急須用茶漉し３２０は、その有底円筒状に形成された側部に網で形成された湯水排出部３２４を備える。つまり、急須用茶漉し３２０は、湯水排出部３２４からだけ湯水を排出するようになっている。
【００４２】
湯水排出部３２４は、長方形状に形成され、金属製又は樹脂製あり、好ましくは、ステンレス製又はポリプロピレンなどの耐熱性の樹脂製である。なお、急須用茶漉し３２０と同一の素材又は異なる素材を用いてもよい。
【００４３】
また、湯水排出部３２４は、急須用茶漉し３２０から着脱可能な湯水排出保持体３２６のほぼ全体中心部に形成されている。
【００４４】
つまり、図６に示されるように、湯湯水排出保持体３２６に設けられた湯水排出保持体嵌合部３２６ａが急須用茶漉し３２０に嵌合し、湯湯水排出保持体３２６は急須用茶漉し３２０から着脱することが可能となる。
【００４５】
図７に示されるように、湯水排出部３２４の面積が、急須３００の注ぎ口３１２の開口面積と大きく相違するように形成されているため、注ぎ口３１２から注がれる量と湯水排出部３２４から排出される量とが略同一になるように、湯水排出調整体３３０を湯水排出部３２４に装着させる。これにより、茶成分が均一に含まれる茶を提供することが可能である。
【００４６】
湯水排出保持体３２６及び湯水排出調整体３３０は、金属製又は樹脂製あり、好ましくは、ステンレス製又はポリプロピレンなどの耐熱性の樹脂製である。なお、急須用茶漉し２２０と同一の素材又は異なる素材を用いてもよい。
【符号の説明】
【００４７】
１００、２００、３００  急須
１１０、２１０、３１０  急須本体
１１２、２１２、３１２  注ぎ口
１１４、２１４、３１４  蓋受け部
１１６、２１６、３１６  急須取手部
１２０、２２０、３２０  急須用茶漉し
１２２、２２２、３２２  茶漉し係止部
１２４、２２４、３２４  湯水排出部
１２８，２２８，３２８  茶葉収容部
１３０  蓋
１３２  蓋取手部
２１４ａ  茶漉し回転防止部
２２６、３２６  湯水排出保持体
２２６ａ、３２６ａ  湯水排出保持体嵌合部
３３０  湯水排出調整体
【図１】
2013048653.tif 000003
【図２】
2013048653.tif 000004
【図３】
2013048653.tif 000005
【図４】
2013048653.tif 000006
【図５】
2013048653.tif 000007
【図６】
2013048653.tif 000008
【図７】
2013048653.tif 000009
【図８】
2013048653.tif 000010
【図９】
2013048653.tif 000011